(57)【要約】      （修正有）【課題】表裏両面共に使用可能な箱型のベッドパッドを提供すること。【解決手段】キルティング加工のパッド部分と、パッド部分の外周部に配置された幕部分を有し、幕部分の少なくとも下端部は伸縮性となっている箱型のベッドパッドであって、パッド部分、幕部分共に、表裏両面が使用可能であることを特徴とする箱型ベッドパッドを使用する。好ましくは、（１）パッド部分の外周部と幕部分の上端部を別布で包んで一体に縫製してなるもの、（２）パッド部分の表裏面の材質が異なるもの、例えば一方の面は防寒性素材製であり、他方の面は吸汗性素材製であるものを使用する。【選択図】図１
0003127183.tif 000002
【実用新案登録請求の範囲】
【請求項１】
キルティング加工のパッド部分と、パッド部分の外周部に配置された幕部分を有し、幕部分の少なくとも下端部は伸縮性となっている箱型のベッドパッドであって、パッド部分、幕部分共に、表裏両面が使用可能であることを特徴とする箱型ベッドパッド。
【請求項２】
パッド部分の外周部と幕部分の上端部を別布で包んで一体に縫製してなる、請求項１に記載の箱型ベッドパッド。
【請求項３】
パッド部分の一方の面は防寒性素材製であり、他方の面は吸汗性素材製である、請求項１又は２に記載の箱型ベッドパッド。
【請求項４】
防寒性素材が、アクリル、ポリエステル、ナイロン及び羊毛からなる群から選択される一種以上であり、吸汗性素材が、麻、綿及び化学繊維からなる群から選択される一種以上である、請求項３に記載の箱型ベッドパッド。
【考案の詳細な説明】
【技術分野】
【０００１】
本考案は、箱型のベッドパッドであって、表裏両面共に使用可能な、即ちリバーシブルな箱型ベッドパッドに関する。
【背景技術】
【０００２】
ベッド・メーキングは、通常、ベッド用マットレスの上にベッド用パッドを敷き、その上に箱型のシーツを被せて行われている。このようなベッド・メーキングでは、ベッド用パッドは固定されていないため、寝返り等によってずれることがある。
【０００３】
特許文献１には、箱型ベッド用シーツの上面をベッドパッドとしたボックス型ベッドパッドが記載されている。このベッドパッドは、ベッド用マットレスに固定される。
【０００４】
特許文献１に記載のベッドパッドはシーツなしで使用されるものである。従って、人は、パッド部分に直接横たわることになる。わが国は四季があるので、パッド部分の材質として、冬季には防寒性のものが、また夏季には吸汗性のものが求められるが、特許文献１には、ベッドパッドの材質に関する記載はない。
【０００５】
【特許文献１】登録実用新案公報第３００８２４９号
【考案の開示】
【考案が解決しようとする課題】
【０００６】
本考案は、表裏両面共に使用可能な箱型のベッドパッドの提供を目的とする。また、このようなベッドパッドにおいて、パッド部分の表裏面の材質を異なるものとした、四季を通じて快適に使用することのできる箱型のベッドパッドの提供を目的とする。
【課題を解決するための手段】
【０００７】
上記目的を達成するために、本考案者は鋭意検討し、以下の考案を完成させた。
【０００８】
即ち、本考案は、キルティング加工のパッド部分と、パッド部分の外周部に配置された幕部分を有し、幕部分の少なくとも下端部は伸縮性となっている箱型のベッドパッドであって、パッド部分、幕部分共に、表裏両面が使用可能であることを特徴とする箱型ベッドパッドに関する。
【０００９】
「表裏両面が使用可能である」とは、いずれの面を表として使用しても、布等の端（切断面）が露出していないことをいう。このように、布等の端が露出していないものの例として、パッド部分の外周部と幕部分の上端部を、別途用意した布、即ち別布で包んで一体に縫製してなる前記箱型ベッドパッドがある。
【００１０】
前記箱型ベッドパッドは、パッド部分の一方の面は防寒性素材製であり、他方の面は吸汗性素材製であることが好ましい。
【００１１】
前記防寒性素材が、アクリル、ポリエステル、ナイロン及び羊毛からなる群から選択される一種以上であり、前記吸汗性素材が、麻、綿及び化学繊維からなる群から選択される一種以上であることが好ましい。
【００１２】
また、前記防寒性素材製の面が、起毛加工がなされたもので構成され、前記吸汗性素材製の面が、平織りの布又はタオル地で構成されることが好ましい。
【考案の効果】
【００１３】
本考案により、就寝中にずれることのないベッドパッドが提供される。
【００１４】
本考案のベッドパッドを使用すれば、ベッド用シーツを使用する必要がない。
【００１５】
本考案のベッドパッドの中、パッド部分の表裏面の材質を異なるものとしたものでは、四季を通じての使用が可能となる。
【考案を実施するための最良の形態】
【００１６】
以下に、本考案の好的例を、図面を参照しながら詳細に説明する。
【００１７】
図１は、本考案のベッドパッドの一例を示す斜視図である。また、図２は、このベッドパッドのパッド部分の外周部と幕部分の上端部とが一体に縫製されてなる個所を示す断面図である。
【００１８】
箱形ベッドパッド１００は、パッド部分１と、パッド部分１の外周部に配置された幕部分３を有し、幕部分３の下端部３ｘはゴムによって伸縮性となっている。パッド部分１は、表面１ａと、裏面１ｃと、中綿１ｂとからなり、これらはキルティング加工によって一体とされている。パッド部分１の外周部、即ち、表面１ａ及び裏面１ｃの外周に存在する端部と、幕部分３の上端部３ｙは、別布５で包まれて糸７で一体に縫製されている。
【００１９】
表裏いずれの面を使用しても、パッド部分１の端や幕部分３の上端を露出させない方法は、これに限定されず、例えば袋縫いであってもよい。
【００２０】
図３は、図１のベッドパッド１００の表裏を逆とした状態を示す斜視図である。即ち、パッド部分１も幕部分３も、図１における裏面が表に出ている状態を示している。この状態では、パッド部分１の裏面１ｃ上に人が横たわることになる。パッド１の中綿１ｂや別布５で包まれて縫製された個所は、この箱形ベッドパッド１００の内側に配置されている。
【００２１】
パッド部分１は、その表裏面を構成する織物や編物等の繊維素材と、パッドとしての性能、即ちクッション性を示すための充填材からなり、表裏面と充填材とが一体となるように縫製がなされている、即ち、キルティング加工されている。
【００２２】
パッド部分１の表裏面を構成する素材は、例えば、ポリエステル、ナイロン、アクリル等の化学繊維、木綿、麻、絹、羊毛等である。また、パッド部分１の表裏面は、例えば、平織りや綾織の布、パイル地、タオル地、フリース等の起毛素材、ラグラン編み、縦編み、丸編み、横編み等の編物で構成されている。
【００２３】
パッドの充填材は、ポリエステル、ナイロン、アクリル等の化学繊維の綿（化繊綿）、木綿の綿、羊毛等の動物毛等である。
【００２４】
本考案の箱形ベッドパッドにおいて、パッド部分の一方の面を防寒性素材、例えばフリース（ポリエステル製の起毛繊維材料）で構成し、他方の面を、吸汗性の織物、例えば麻、綿、化学繊維又はこれらの混紡製の、平織りの布又はタオル地で構成することが好ましい。このような構成とし、冬季にはフリースの面を上にして使用し、夏季には平織りの布又はタオル地の面を上にして使用すると、冬は暖かく、夏は涼しい。
【００２５】
本考案の箱形ベッドパッドにおいて、幕部分３は、少なくともその下端部３ｘが伸縮性となっている。下端部３ｘを伸縮性とするためには、下端部３ｘにゴム縫い付けたりゴムを通せばよい。また、幕部分３を伸縮性の布、例えばコアスパン糸製の布や編物で作製すれば、幕部分３全体が伸縮性となる。
【００２６】
幕部分３用の材料としては、コアスパン糸製の布、編物以外に、シーツ用材料として一般に使用されているものを用いることができる。例えば、木綿、化学繊維、麻等の、又はそれらの混紡の布を用いることができる。
【００２７】
なお、幕部分３の下端部３ｘは、本考案の箱形ベッドパッドでマットレスを包んだ際に、ベッド用マットレスの側面部下端付近に位置するように構成してもよいし、当該マットレスの裏側（マットレスの下）に位置するように構成してもよい。
【図面の簡単な説明】
【００２８】
【図１】本考案のベッドパッドの一例を示す斜視図である。
【図２】図１のベッドパッドのパッド部分の外周部と幕部分の上端部とが一体に縫製されてなる個所を示す断面図である。
【図３】図１のベッドパッドの表裏を逆とした状態を示す斜視図である。
【符号の説明】
【００２９】
１    パッド部分
３    幕部分
５    別布
７    糸
１００    箱形ベッドパッド
【図１】
0003127183.tif 000003
【図２】
0003127183.tif 000004
【図３】
0003127183.tif 000005